(57)【要約】      （修正有）【課題】広画角、高ズーム比、全ズーム範囲にわたる高い光学性能、および小型の点で有利なズームレンズを提供する。【解決手段】物体側から像側へ順に、正の屈折力の第１レンズ群Ｕ１、負の屈折力の第２レンズ群Ｕ２、正の屈折力の第３レンズ群Ｕ３、正の屈折力の第４レンズ群Ｕ４、正の屈折力の第５レンズ群Ｕ５、正の屈折力の第６レンズ群Ｕ６より構成されるズームレンズであって、前記第２レンズ群の横倍率が−１倍となるときの前記ズームレンズの焦点距離ｆＦでの前記第４レンズ群と前記第５レンズ群との合成横倍率β４５Ｆとし、前記ズームレンズの広角端での前記第２レンズ群と前記第３レンズ群との間隔Ｌ２ｗとし、前記ズームレンズの焦点距離ｆＦでの前記第２レンズ群と前記第３レンズ群との間隔Ｌ２Ｆとし、前記第１レンズ群の焦点距離ｆ１とし、前記第２レンズ群の焦点距離ｆ２として、所定の条件式を満たす。【選択図】図９
2019008313.tif 000002
【特許請求の範囲】
【請求項１】
物体側から像側へ順に、正の屈折力の第１レンズ群、広角端から望遠端へのズーミングのために物体側から像側へ移動する負の屈折力の第２レンズ群、広角端から望遠端へのズーミングのために非単調に移動する正の屈折力の第３レンズ群、広角端から望遠端へのズーミングのために非単調に移動する正の屈折力の第４レンズ群、ズーミングのために移動する正の屈折力の第５レンズ群、正の屈折力の第６レンズ群より構成されるズームレンズであって、
前記第２レンズ群の横倍率が−１倍となるときの前記ズームレンズの焦点距離ｆＦでの前記第４レンズ群と前記第５レンズ群との合成横倍率をβ４５Ｆとし、前記ズームレンズの広角端での前記第２レンズ群と前記第３レンズ群との間隔をＬ２ｗとし、前記ズームレンズの焦点距離ｆＦでの前記第２レンズ群と前記第３レンズ群との間隔をＬ２Ｆとし、前記第１レンズ群の焦点距離をｆ１とし、前記第２レンズ群の焦点距離をｆ２として、
−１．０＜β４５Ｆ＜−０．４５
０．０１＜Ｌ２ｗ／Ｌ２Ｆ＜１．００
−１５.０＜ｆ１／ｆ２＜−８.０
なる条件式を満たし、
前記第３レンズ群は、１以上の正レンズと１以上の負レンズとを有し、前記１以上の正レンズの材料のｄ線における屈折率の平均値をＮｄｐとし、前記１以上の正レンズの材料のアッベ数の平均値をνｄｐとし、前記１以上の負レンズの材料のｄ線における屈折率の平均値をＮｄｎとし、前記１以上の負レンズの材料のアッベ数の平均値をνｄｎとして、
−０．４３＜Ｎｄｐ−Ｎｄｎ＜−０．０１
１０．０＜νｄｐ−νｄｎ＜４５．０
なる条件式を満たす、
ことを特徴とするズームレンズ。
【請求項２】
物体側から像側へ順に、正の屈折力の第１レンズ群、広角端から望遠端へのズーミングのために物体側から像側へ移動する負の屈折力の第２レンズ群、広角端から望遠端へのズーミングのために非単調に移動する正の屈折力の第３レンズ群、広角端から望遠端へのズーミングのために非単調に移動する正の屈折力の第４レンズ群、ズーミングのために移動する正の屈折力の第５レンズ群、正の屈折力の第６レンズ群より構成されるズームレンズであって、
前記第２レンズ群の横倍率が−１倍となるときの前記ズームレンズの焦点距離ｆＦでの前記第４レンズ群と前記第５レンズ群との合成横倍率をβ４５Ｆとし、前記ズームレンズ
の広角端での前記第２レンズ群と前記第３レンズ群との間隔をＬ２ｗとし、前記ズームレンズの焦点距離ｆＦでの前記第２レンズ群と前記第３レンズ群との間隔をＬ２Ｆとし、前記第１レンズ群の焦点距離をｆ１とし、前記第２レンズ群の焦点距離をｆ２として、
−１．０＜β４５Ｆ＜−０．４５
０．０１＜Ｌ２ｗ／Ｌ２Ｆ＜１．００
−１５.０＜ｆ１／ｆ２＜−８.０
なる条件式を満たし、
前記第２レンズ群は、物体側から像側へ順に、２つの負レンズ、正レンズ、負レンズより構成されている、
ことを特徴とするズームレンズ。
【請求項３】
広角端での前記第３レンズ群と前記第４レンズ群との間隔をＬ３ｗとして、
２０．０＜Ｌ３ｗ／Ｌ２ｗ＜３００．０
なる条件式を満たすことを特徴とする請求項１または２に記載のズーム
レンズ。
【請求項４】
前記第３レンズ群の焦点距離をｆ３として、
−５０．０＜ｆ３／ｆ２＜−５．０
なる条件式を満たすことを特徴とする請求項１乃至３のうちいずれか１項に記載のズームレンズ。
【請求項５】
前記第３レンズ群は、１以上の正レンズと１以上の負レンズとを有し、前記１以上の正レンズの材料のｄ線における屈折率の平均値をＮｄｐとし、前記１以上の正レンズの材料のアッベ数の平均値をνｄｐとし、前記１以上の負レンズの材料のｄ線における屈折率の平均値をＮｄｎとし、前記１以上の負レンズの材料のアッベ数の平均値をνｄｎとして、
−０．４３＜Ｎｄｐ−Ｎｄｎ＜−０．０１
１０．０＜νｄｐ−νｄｎ＜４５．０
なる条件式を満たすことを特徴とする請求項２に記載のズームレンズ。
【請求項６】
前記第３レンズ群において物体側に補助絞りを有することを特徴とする請求項１乃至５のうちいずれか１項に記載のズームレンズ。
【請求項７】
前記第３レンズ群は、負レンズと正レンズとを接合してなる接合レンズにより構成されていることを特徴とする請求項１乃至６のうちいずれか１項に記載のズームレンズ。
【請求項８】
請求項１乃至７のうちいずれか１項に記載のズームレンズと、
前記ズームレンズの像面に配された撮像素子と、
を有することを特徴とする撮像装置。
【発明の詳細な説明】
【技術分野】
【０００１】
本発明は、ズームレンズおよび撮像装置に関し、特に放送用テレビカメラ、映画用カメラ、ビデオカメラ、デジタルスチルカメラ、銀塩写真用カメラ等のズームレンズおよび撮像装置として好適なものである。
【背景技術】
【０００２】
近年、撮像装置に用いられる撮像光学系には、全系が小型軽量で、広画角・高ズーム比でかつ高い光学性能を有したズームレンズが要望されている。広画角、高ズーム比のズームレンズとして、最も物体側に正の屈折力のレンズ群を配置し、全体として５つのレンズ群により構成されるポジティブリード型の５群ズームレンズが知られている。５群ズームレンズとして、物体側から像側へ順に、正の屈折力の第１レンズ群、負の屈折力の第２レンズ群、正の屈折力の第３レンズ群、正の屈折力の第４レンズ群、正の屈折力の第５レンズ群から構成される５群ズームレンズが知られている（特許文献１，２）。
【０００３】
特許文献１，２では、バリエータとコンペンセータの機能を持つ変倍部を第２，第３，第４レンズ群で構成し、ズーミングに際して３つの可動レンズ群を互いに異なった軌跡で移動したテレビカメラに好適な５群ズームレンズを開示している。特許文献１では、広角端の撮影画角が５９°〜７５°程度、ズーム比２３〜５４程度のズームレンズを開示している。特許文献２では、撮影画角６０°〜７０°程度、ズーム比１０〜２０程度のズームレンズを開示している。
【先行技術文献】
【特許文献】
【０００４】
【特許文献１】特開２００９−１２８４９１号公報
【特許文献２】特開平７−２４８４４９号公報
【発明の概要】
【発明が解決しようとする課題】
【０００５】
前述した５群ズームレンズは、広画角化及び高ズーム比化が比較的容易である。しかしながら広画角化及び高ズーム比化を維持しつつ、高い光学性能を得るには各レンズ群の屈折力、レンズ構成等を適切に設定することが重要になってくる。特に第１レンズ群や第２レンズ群の屈折力やズーミングに伴う第２レンズ群と第３レンズ群の間隔変化、そしてズーミングに際しての第４レンズ群の結像倍率等を適切に設定することが重要になってくる。
【０００６】
これらの構成を適切に設定しないと、広画角かつ高ズーム比で全ズーム範囲にわたり高い光学性能を有した小型のズームレンズを得るのが難しくなってくる。例えば特許文献１では、物体側から像側へ順に、正，負，正，正の屈折力のレンズ群からなる所謂乗り移り式の４群ズームレンズにおいてコンペンセータ群を２つのレンズ群に分割した構成の５群ズームレンズを開示している。
【０００７】
このようなズームレンズにおけるコンペンセータ群は、更なる高ズーム比を達成しようとするとレンズ径が増大し、全系が大型化する傾向があった。コンペンセータ群のレンズ径が増大すると、ズーミングに際して諸収差の変動が大きくなり、全ズーム範囲にわたり高い光学性能を得るのが困難になる。加えて、各レンズのコバ厚の確保や強度確保のため中心厚は概ねレンズ径に比例して増大しなければならず、コンペンセータ群全体の質量が著しく増大し、全系が大型化する傾向があった。
【０００８】
この他、ズーミングのための駆動力が増大し、機構上および消費電力等の観点で変倍操作の高速化や操作追従性が難しくなる傾向があった。
【０００９】
本発明は、例えば、広画角、高ズーム比、全ズーム範囲にわたる高い光学性能、および小型の点で有利なズームレンズの提供を目的とする。
【課題を解決するための手段】
【００１０】
本発明の一つの側面は、物体側から像側へ順に、正の屈折力の第１レンズ群、広角端から望遠端へのズーミングのために物体側から像側へ移動する負の屈折力の第２レンズ群、広角端から望遠端へのズーミングのために非単調に移動する正の屈折力の第３レンズ群、広角端から望遠端へのズーミングのために非単調に移動する正の屈折力の第４レンズ群、ズーミングのために移動する正の屈折力の第５レンズ群、正の屈折力の第６レンズ群より構成されるズームレンズであって、
前記第２レンズ群の横倍率が−１倍となるときの前記ズームレンズの焦点距離ｆＦでの前記第４レンズ群と前記第５レンズ群との合成横倍率をβ４５Ｆとし、前記ズームレンズの広角端での前記第２レンズ群と前記第３レンズ群との間隔をＬ２ｗとし、前記ズームレンズの焦点距離ｆＦでの前記第２レンズ群と前記第３レンズ群との間隔をＬ２Ｆとし、前記第１レンズ群の焦点距離をｆ１とし、前記第２レンズ群の焦点距離をｆ２として、
−１．０＜β４５Ｆ＜−０．４５
０．０１＜Ｌ２ｗ／Ｌ２Ｆ＜１．００
−１５.０＜ｆ１／ｆ２＜−８.０
なる条件式を満たし、
前記第３レンズ群は、１以上の正レンズと１以上の負レンズとを有し、前記１以上の正レンズの材料のｄ線における屈折率の平均値をＮｄｐとし、前記１以上の正レンズの材料のアッベ数の平均値をνｄｐとし、前記１以上の負レンズの材料のｄ線における屈折率の平均値をＮｄｎとし、前記１以上の負レンズの材料のアッベ数の平均値をνｄｎとして、
−０．４３＜Ｎｄｐ−Ｎｄｎ＜−０．０１
１０．０＜νｄｐ−νｄｎ＜４５．０
なる条件式を満たす、
ことを特徴とするズームレンズである。
【００１１】
また、本発明の別の側面は、物体側から像側へ順に、正の屈折力の第１レンズ群、ズーミングに際して移動する負の屈折力の第２レンズ群、ズーミングに際して移動する正の屈折力の第３レンズ群、ズーミングに際して移動する正の屈折力の第４レンズ群、ズーミングに際して移動する正または負の屈折力の第５レンズ群、正の屈折力の第６レンズ群より構成されるズームレンズであって、
ズーミングに際して前記第２レンズ群の横倍率が−１倍となるときの前記ズームレンズの焦点距離ｆＦでの前記第４レンズ群と前記第５レンズ群の合成横倍率をβ４５Ｆ、広角端における前記第２レンズ群と前記第３レンズ群の間隔をＬ２ｗ、前記ズームレンズの焦点距離ｆＦにおける前記第２レンズ群と前記第３レンズ群の間隔をＬ２Ｆ、前記第１レンズ群の焦点距離をｆ１、前記第２レンズ群の焦点距離をｆ２とするとき、
−１．０＜β４５Ｆ＜−０．４５
０．０１＜Ｌ２ｗ／Ｌ２Ｆ＜１．００
−１５.０＜ｆ１／ｆ２＜−８.０
なる条件式を満たし、
前記第２レンズ群は、物体側から像側へ順に、２つの負レンズ、正レンズ、負レンズより構成されている、
ことを特徴とするズームレンズである。
【発明の効果】
【００１２】
本発明によれば、例えば、広画角、高ズーム比、全ズーム範囲にわたる高い光学性能、および小型の点で有利なズームレンズが得られる。
【図面の簡単な説明】
【００１３】
【図１】数値実施例１の広角端におけるレンズ断面図
【図２】（ａ）（ｂ）（ｃ）  数値実施例１の広角端、ｆ＝２９７．５０ｍｍ、望遠端での無限遠合焦時の収差図
【図３】数値実施例２の広角端におけるレンズ断面図
【図４】（ａ）（ｂ）（ｃ）  数値実施例２の広角端、ｆ＝３４０．１０ｍｍ、望遠端での無限遠合焦時の収差図
【図５】数値実施例３の広角端におけるレンズ断面図
【図６】（ａ）（ｂ）（ｃ）  数値実施例３の広角端、ｆ＝２８６．６７ｍｍ、望遠端での無限遠合焦時の収差図
【図７】数値実施例４の広角端におけるレンズ断面図
【図８】（ａ）（ｂ）（ｃ）  数値実施例４の広角端、ｆ＝２２６．２４ｍｍ、望遠端での無限遠合焦時の収差図
【図９】数値実施例５の広角端におけるレンズ断面図
【図１０】（ａ）（ｂ）（ｃ）  数値実施例５の広角端、ｆ＝２８０．５１ｍｍ、望遠端での無限遠合焦時の収差図
【図１１】（ａ）（ｂ）  本発明における５群ズームレンズと、一般的な４群ズームレンズの模式図
【図１２】（ａ）（ｂ）（ｃ）  本発明の実施例における広角端、ズーム中間、望遠端の光路図
【図１３】本発明の６群ズームレンズの模式図
【図１４】放送用ズームレンズの焦点距離とＦナンバーの関係の概略図
【図１５】本発明の撮像装置の要部概略図
【図１６】本発明の色収差補正に関する説明図
【発明を実施するための形態】
【００１４】
以下に、本発明の好ましい実施の形態を、添付の図面に基づいて説明する。まず、本発明のズームレンズの特徴について説明する。本発明のズームレンズの一態様は、物体側から像側へ順に、次のとおりである。正の屈折力の第１レンズ群、負の屈折力の第２レンズ群、正の屈折力の第３レンズ群、正の屈折力の第４レンズ群、正の屈折力の第５レンズ群を有する。第２レンズ群乃至第４レンズ群はズーミングに際して移動する。
【００１５】
この他、本発明のズームレンズの一態様は、物体側から像側へ順に、次のとおりである。正の屈折力の第１レンズ群、負の屈折力の第２レンズ群、正の屈折力の第３レンズ群、正の屈折力の第４レンズ群、正の屈折力の第５レンズ群、正の屈折力の第６レンズ群を有する。第２レンズ群乃至第５レンズ群はズーミングに際して移動する。
【００１６】
図１は本発明の実施例１（数値実施例１）のズームレンズの広角端（焦点距離：ｆ＝８．５０ｍｍ）における、無限遠物体に合焦しているときのレンズ断面図である。図２（ａ），（ｂ），（ｃ）は数値実施例１の広角端（焦点距離：ｆ＝９．００ｍｍ）、焦点距離：ｆ＝２９７．５０ｍｍ、望遠端（焦点距離：ｆ＝１０８０．０１ｍｍ）における無限遠物体に合焦（フォーカス）しているときの収差図である。但し、焦点距離は後述する数値実施例の値をｍｍ単位で表したときの値である。これは以下の各実施例において全て同じである。
【００１７】
図３は本発明の実施例２（数値実施例２）のズームレンズの広角端（焦点距離：ｆ＝８．５０ｍｍ）における無限遠物体に合焦しているときのレンズ断面図である。図４（ａ），（ｂ），（ｃ）は数値実施例２の広角端（焦点距離：ｆ＝８．５０ｍｍ）、焦点距離：ｆ＝３４０．１０ｍｍ、望遠端（焦点距離：ｆ＝８５０．００ｍｍ）における無限遠物体に合焦しているときの収差図である。
【００１８】
図５は本発明の実施例３（数値実施例３）のズームレンズの広角端（焦点距離：ｆ＝８．２０ｍｍ）における無限遠物体に合焦しているときのレンズ断面図である。図６（ａ），（ｂ），（ｃ）は数値実施例３の広角端（焦点距離：ｆ＝８．２０ｍｍ）、焦点距離：ｆ＝２８６．６７ｍｍ、望遠端（焦点距離：ｆ＝６５６．００ｍｍ）における無限遠物体に合焦しているときの収差図である。
【００１９】
図７は本発明の実施例４（数値実施例４）のズームレンズの広角端（焦点距離：ｆ＝８．００ｍｍ）における無限遠物体に合焦しているときのレンズ断面図である。図８（ａ），（ｂ），（ｃ）は数値実施例４の広角端（焦点距離：ｆ＝８.００ｍｍ）、焦点距離：ｆ＝２２６．２４ｍｍ、望遠端（焦点距離：ｆ＝４８０．００ｍｍ）における無限遠物体に合焦しているときの収差図である。
【００２０】
図９は本発明の実施例５（数値実施例５）のズームレンズの広角端（焦点距離：ｆ＝８．５０ｍｍ）における無限遠物体に合焦しているときのレンズ断面図である。図１０（ａ），（ｂ），（ｃ）は数値実施例５の広角端（焦点距離：ｆ＝８．５０ｍｍ）、焦点距離：ｆ＝２８０．５１ｍｍ、望遠端（焦点距離：ｆ＝１０２０．００ｍｍ）における無限遠物体に合焦しているときの収差図である。
【００２１】
図１１（ａ），（ｂ）は、それぞれ本発明の実施例１乃至４における５群ズームレンズの模式図と、従来の所謂乗り移り式と呼ばれるズーム方式を用いた４群ズームレンズの模式図である。図１２（ａ），（ｂ），（ｃ）は本発明の実施例１における広角端、ズーム中間、望遠端における光路図である。図１３は本発明の実施例５の６群ズームレンズの模式図である。図１４は放送用のズームレンズにおいて全系の焦点距離とＦナンバーの関係を表す概略図である。図１５は本発明の撮像装置の概略図である。図１６は色収差の補正に関する説明図である。
【００２２】
各実施例のレンズ断面図において、左側が物体側で右側が像側である。レンズ断面図において、ｉは物体側から像側への各レンズ群の順序を示し、Ｕｉは第ｉレンズ群である。実施例１乃至４のレンズ断面図において、Ｕ１は正の屈折力の第１レンズ群であり、ズーミングに際して不動である。第１レンズ群Ｕ１の一部又は全部のレンズ系を移動することで合焦（フォーカシング）を行っている。Ｕ２は負の屈折力の第２レンズ群であり、広角端から望遠端へのズーミングに際して光軸上を物体側から像側へ単調に移動している。
【００２３】
Ｕ３は正の屈折力の第３レンズ群であり、広角端から望遠端へのズーミングに際して光軸上を非直線的に（非単調に）移動している。Ｕ４は正の屈折力の第４レンズ群であり、広角端から望遠端へのズーミングに際して光軸上を非直線的に（非単調に）移動している。第２レンズ群Ｕ２と第３レンズ群Ｕ３と第４レンズ群Ｕ４でズーム系を構成しており、広角端から望遠端へのズーミングに際しては図１１（Ａ）の矢印で示す如く移動する。
【００２４】
Ｕ５は正の屈折力の第５レンズ群であり、ズーミングに際して不動である。第５レンズ群Ｕ５内には、焦点距離変換用のコンバータ（エクステンダ）等が装着されている場合がある。
【００２５】
ＳＰは広角端において軸上最大光束径を決定している開口部（開口絞り）であり、第５レンズ群Ｕ５の物体側に配置されている。ここで「軸上最大光束径を決定している開口部」とは、物体距離が無限遠にあるときの軸上光束（主光線が光軸上を進む光束）においてＦナンバーを決定している開口部のことを指す。
【００２６】
図７の実施例４においてＳＳＰは補助絞りであり、第３レンズ群Ｕ３の物体側に配置されており、不要光を遮光している。補助絞りＳＳＰは実施例１乃至３においても実施例４と同様に配置しても良い。
【００２７】
ＤＰは色分解プリズムや光学フィルタ−等であり、同図ではガラスブロックとして示している。ＩＰは撮像面であり、ズームレンズで形成された像を受光し、光電変換する固体撮像素子（光電変換素子）の撮像面に相当している。実施例１乃至４は５群ズームレンズである。
【００２８】
実施例５のレンズ断面図において、Ｕ１は正の屈折力の第１レンズ群であり、ズーミングに際して不動である。第１レンズ群Ｕ１の一部又は全部のレンズ系を移動することで合焦を行っている。
【００２９】
Ｕ２は負の屈折力の第２レンズ群であり、広角端から望遠端へのズーミングのために光軸上を物体側から像側へ単調に移動している。Ｕ３は正の屈折力の第３レンズ群であり、広角端から望遠端へのズーミングのために光軸上を非直線的に（非単調に）移動している。Ｕ４は正の屈折力の第４レンズ群であり、広角端から望遠端へのズーミングのために光軸上を非直線的に（非単調に）移動している。Ｕ５は正の屈折力の第５レンズ群であり、広角端から望遠端へのズーミングのために光軸上を非直線的に（非単調に）移動している。
【００３０】
第２レンズ群Ｕ２と第３レンズ群Ｕ３と第４レンズ群Ｕ４と第５レンズ群Ｕ５でズーム系を構成しており、広角端から望遠端へのズーミングに際して図１３の矢印で示す如く移動する。Ｕ６は正の屈折力の第６レンズ群であり、ズーミングに際して不動である。第６レンズ群Ｕ６内には、焦点距離変換用のコンバータ（エクステンダ）等が装着されている場合がある。ＳＰは絞り（開口絞り）であり、第６レンズ群Ｕ６の物体側に配置されている。
【００３１】
実施例５において第３レンズ群Ｕ３の物体側に不要光を遮光する補助絞りを配置しても良い。ＤＰは色分解プリズムや光学フィルタ−等であり、同図ではガラスブロックとして示している。ＩＰは撮像面であり、ズームレンズで形成された像を受光し、光電変換する固体撮像素子（光電変換素子）の撮像面に相当している。実施例５は６群ズームレンズである。
【００３２】
収差図において、球面収差における実線はｅ線、一点鎖線はｇ線である。非点収差における点線はメリディオナル像面，実線はサジタル像面である。倍率色収差はｇ線によって表している。ωは半画角（度）、ＦｎｏはＦナンバーである。球面収差は０．４ｍｍ、非点収差は０．４ｍｍ、歪曲は１０％、倍率色収差は０．１ｍｍのスケールで描いている。尚、以下の各実施例において広角端と望遠端は変倍用の第２レンズ群Ｕ２が機構上、光軸上を移動可能な範囲の両端に位置したときのズーム位置をいう。
【００３３】
実施例１乃至４の５群ズームレンズは、物体側から像側へ順に、正の屈折力の第１レンズ群Ｕ１、負の屈折力の第２レンズ群Ｕ２、正の屈折力の第３レンズ群Ｕ３、正の屈折力の第４レンズ群Ｕ４、正の屈折力の第５レンズ群Ｕ５より構成される。ズーミングに際して第２レンズ群Ｕ２乃至第４レンズ群Ｕ４が移動する。
【００３４】
ズーミングに際して第２レンズ群Ｕ２の横倍率が−１倍となるときの全系（ズームレンズ）の焦点距離ｆＦでの第４レンズ群Ｕ４の横倍率をβ４Ｆとする。広角端及び全系の焦点距離ｆＦにおける第２レンズ群Ｕ２と第３レンズ群Ｕ３の間隔をそれぞれＬ２ｗ，Ｌ２Ｆとする。第１レンズ群Ｕ１及び第２レンズ群Ｕ２の焦点距離をそれぞれｆ１，ｆ２とする。このとき、
−１．０＜β４Ｆ＜−０．６          ・・・（１ａ）
０．０１＜Ｌ２ｗ／Ｌ２Ｆ＜１．００  ・・・（２ａ）
−１５.０＜ｆ１／ｆ２＜−８.０      ・・・（３ａ）
なる条件式を満たす。
【００３５】
なお、本明細書において、「レンズ群Ａとレンズ群Ｂの間隔」とは、「レンズ群Ａにおけるレンズ群Ｂに最も近い側の面と、レンズ群Ｂにおけるレンズ群Ａに最も近い側の面の光軸上の間隔」のことをいう。
【００３６】
実施例５の６群ズームレンズは、物体側から像側へ順に、正の屈折力の第１レンズ群Ｕ１、負の屈折力の第２レンズ群Ｕ２、正の屈折力の第３レンズ群Ｕ３、正の屈折力の第４レンズ群Ｕ４より構成される。更に正または負の屈折力の第５レンズ群Ｕ５、正の屈折力の第６レンズ群Ｕ６より構成される。ズーミングに際して第２レンズ群Ｕ２乃至第５レンズ群Ｕ５が移動する。
【００３７】
ズーミングに際して第２レンズ群Ｕ２の横倍率が−１倍となるときの全系の焦点距離ｆＦでの第４レンズ群Ｕ４と第５レンズ群Ｕ５の合成横倍率をβ４５Ｆとする。広角端及び全系の焦点距離ｆＦにおける第２レンズ群Ｕ２と第３レンズ群Ｕ３の間隔をそれぞれＬ２ｗ，Ｌ２Ｆとする。第１レンズ群Ｕ１及び第２レンズ群Ｕ２の焦点距離をそれぞれｆ１，ｆ２とする。このとき、
−１．０＜β４５Ｆ＜−０．４５      ・・・（１ｂ）
０．０１＜Ｌ２ｗ／Ｌ２Ｆ＜１．００  ・・・（２ｂ）
−１５.０＜ｆ１／ｆ２＜−８.０      ・・・（３ｂ）
なる条件式を満たす。
【００３８】
実施例５は実施例１乃至４の５群ズームレンズに比べて第４レンズ群Ｕ４を２つのレンズ群（第４レンズ群Ｕ４と第５レンズ群Ｕ５）に分割した６群ズームレンズの場合に相当している。
【００３９】
条件式（１ａ）乃至（３ａ）は本発明が５群ズームレンズのときのものであり（実施例１乃至４）、条件式（１ｂ）乃至（３ｂ）は本発明が６群ズームレンズのときのものである（実施例５）。条件式（１ａ）乃至（３ａ）と条件式（１ｂ）乃至（３ｂ）はそれぞれ対応している。条件式（１ａ）は全系の焦点距離ｆＦのときの第４レンズ群Ｕ４の横倍率に関し、条件式（１ｂ）は全系の焦点距離ｆＦのときの第４レンズ群Ｕ４と第５レンズ群Ｕ５の合成横倍率に関する。
【００４０】
条件式（２ａ），（３ａ）と条件式（２ｂ），（３ｂ）は５群ズームレンズか、６群ズームレンズであるかの違いであって、技術的内容は同じである。まず、条件式（１ａ）乃至（３ａ）技術的効果を説明するために、実施例１乃至４におけるズーミングの際の各レンズ群の移動軌跡を図１１，図１２を用いて説明する。実施例１乃至４のズームレンズは、物体側から像側へ順に、正，負，正，正，正の屈折力の第１レンズ群Ｕ１乃至第５レンズ群Ｕ５の５つのレンズ群を有する。そして第２レンズ群Ｕ２と第３レンズ群Ｕ３と第４レンズ群Ｕ４でズーム系を構成する。
【００４１】
図１１（ａ）はこの５群ズームレンズのズーム軌跡の概略図である。従来、ズーム比６０倍を超えるような高ズーム比のズームレンズとして、高ズーム比化し易いことから物体側から順に、正，負，正，正の屈折力の第１レンズ群Ｕ１乃至第４レンズ群Ｕ４の４群ズームレンズが知られている。そして第２レンズ群Ｕ２と第３レンズ群Ｕ３でズーム系を構成する、所謂、乗り移り式のズーム方式が広く用いられている。
【００４２】
図１１（ｂ）は、この４群ズームレンズにおけるズーム軌跡の概略図である。図１１（ａ）に示す本発明の５群ズームレンズの各レンズ群と図１１（ｂ）に示す４群ズームレンズの各レンズ群との対比を明確にするために、図１１（ａ）では各レンズ断面図と同様に第１レンズ群Ｕ１乃至第５レンズ群Ｕ５を表示している。図１１（ｂ）では第１レンズ群Ｕ１Ｂ乃至第４レンズ群Ｕ４Ｂと表示している。図１１(ｂ)に示すような４群ズームレン
ズの場合、第３レンズ群Ｕ３Ｂの移動軌跡は第２レンズ群Ｕ２Ｂの変倍移動に伴う像点補正のために一意的に決定される。
【００４３】
具体的には、第２レンズ群Ｕ２Ｂが図１１(ｂ)に示すように直線的に移動する場合、第３レンズ群Ｕ３Ｂは広角端から望遠端へズーミングするに従って物体側へ非直線的に（非単調に）移動するように軌跡が決定される。一方、図１１(ａ)に示すように、本発明の実施例１乃至４における５群ズームレンズでは、変倍用のレンズ群を３つの可動レンズ群で構成している。そして第４レンズ群Ｕ４で変倍に伴って移動する像点の補正を行う構成にすることにより、第３レンズ群Ｕ３の移動軌跡を任意に設定可能としている。
【００４４】
また、実施例１乃至４におけるズームレンズでは、第２レンズ群Ｕ２の横倍率が−１となる全系の焦点距離ｆＦの前後において、以下の式（Ａ）に示す近軸結像関係に従って、第２レンズ群Ｕ２の像点が光軸に沿って移動する方向が反転する。ここで、βは横倍率、ｓは物点と物点側主点の距離、ｓ´は像点と像側主点の距離、ｆは全系の焦点距離である。
【００４５】
β＝１−ｓ´／ｆ＝ｓ´／ｓ  ・・・（Ａ）
また、第１レンズ群Ｕ１の像点に第２レンズ群Ｕ２の焦点が、物体側から限りなく近接していくと、第２レンズ群Ｕ２の像点ｓ´はマイナス（物体側）に発散し、第２レンズ群Ｕ２の横倍率β２の絶対値は加速度的に増大する。従来の４群ズームレンズでは、第２レンズ群Ｕ２Ｂの横倍率が−１となる位置を越えて変倍したところで第３レンズ群Ｕ３Ｂへの光束の入射高さが最大となり、第３レンズ群Ｕ３Ｂのレンズ径が決定されていた。
【００４６】
図１４に示すように、放送用のズームレンズの多くでは、広角端から所定のズーム中間位置の全系の焦点距離ｆｍｉｄまで一定のＦナンバーをもち、焦点距離ｆｍｉｄから望遠端にかけてＦナンバーが単調増加（明るさが単調減少）する仕様としている。ここで焦点距離ｆｍｉｄは、望遠端の焦点距離をｆｔ、広角端におけるＦナンバーをＦｗ、望遠端におけるＦナンバーをＦｔとするとき、以下の式（Ｂ）で概略決定される。
ｆｍｉｄ＝ｋ・ｆｔ・Ｆｗ／Ｆｔ  ・・・（Ｂ）
ただし、０．７＜ｋ＜１．０
各実施例では、焦点距離ｆｍｉｄにおける第２レンズ群Ｕ２の横倍率β２は−１近傍である。
【００４７】
図１１（ａ），（ｂ）で第２レンズ群Ｕ２の横倍率βが−１となるズームポジションをｆｍｉｄとし、図１１（ａ），（ｂ）のｆｍｉｄにおける焦点距離及びＦナンバーなどの光学仕様は同一であるとする。図１１（ａ）のように、第３レンズ群Ｕ３が広角端の状態より像側に膨らむ軌跡をとることで、第３レンズ群Ｕ３の横倍率を増大させることができる。結果、第４レンズ群Ｕ４は図１１（ｂ）に比べて物体側へ繰り出さなくとも同一の焦点距離ｆｍｉｄを達成することができる。
【００４８】
同時に、実施例１乃至４では第２レンズ群Ｕ２と第３レンズ群Ｕ３の合成焦点距離を長焦点化するため、焦点距離ｆｍｉｄにおける第４レンズ群Ｕ４に到達するマージナル光線高さを下げる事ができる。逆に、像面側から第４レンズ群Ｕ４への逆光線追跡で考えてみても、第４レンズ群Ｕ４がより像側に位置する方が焦点距離ｆｍｉｄにおける第４レンズ群Ｕ４に入射する光線の入射高さを低く抑えられることが分かる。
【００４９】
図１２（ａ），（ｂ），（ｃ）は、それぞれ実施例１における広角端，ズーム中間，望遠端における光路図である。図１２より明らかなように、第４レンズ群Ｕ４は広角端および望遠端において軸上マージナル光線の入射高が低く、ズーム中間において最も高い位置を通る。このズーム中間位置は第２レンズ群Ｕ２の横倍率が−１となる位置の近傍であり、第４レンズ群Ｕ４の横倍率を条件式（１ａ）の範囲に設定すると、軸上マージナル光線の入射高さを低くすることができる。
【００５０】
実施例１乃至４において、軸上マージナル光線が最大となり第４レンズ群Ｕ４の有効径を決定している焦点距離を、ズーム中間焦点距離として各数値実施例に記載し、縦収差図として各実施例に対応する図面に記載している。以上のことは、実施例５の６群ズームレンズにおいても同様である。実施例５の６群ズームレンズでは、実施例１乃至４の５群ズームレンズにおいて正の屈折力の第４レンズ群Ｕ４を２つのレンズ群（正の屈折力の第４レンズ群Ｕ４と正又は負の屈折力の第５レンズ群Ｕ５）に分割した場合に相当する。技術的内容は実施例１乃至４と同じである。
【００５１】
次に条件式（１ａ）乃至（３ａ）の技術的意味について説明する。条件式（１ａ）は、第２レンズ群Ｕ２の横倍率が−１となるズーム位置での第４レンズ群Ｕ４の横倍率β４Ｆを規定している。条件式(１ａ)を満足することで、主に第４レンズ群Ｕ４の小型軽量化を図っている。
【００５２】
条件式(１ａ)の上限を超えると、広角端から望遠端へのズーミングに際して第３レンズ群Ｕ３及び第４レンズＵ４が像側に大きく移動軌跡を確保することになり、全系の小型化が困難となる。条件式（１ａ）の下限を超えると、第４レンズ群Ｕ４の有効径を決定する焦点距離において軸上マージナル光線の入射高が高くなるため、第４レンズ群の小型軽量化が困難となる。
【００５３】
更に好ましくは条件式（１ａ）の数値範囲を次の如く設定するのが良い。
−０．９５＜β４Ｆ＜−０．７５    ・・・（１ａａ）
条件式（２ａ）は、広角端及び第２レンズ群Ｕ２の横倍率が−１となる全系の焦点距離ｆＦにおける第２レンズ群Ｕ２と第３レンズ群Ｕ３の間隔の比を規定している。条件式（２ａ）を満足することで、第４レンズ群Ｕ４全体の小型軽量化を効果的に図っている。
【００５４】
条件式（２ａ）の上限を超えると、全系の焦点距離ｆＦにおける第２レンズ群Ｕ２と第３レンズ群Ｕ３の負の合成屈折力は強く（負の合成屈折力の絶対値が大きく）なる。このため、第４レンズ群Ｕ４に入射する光束の光束径が増大し、第４レンズ群Ｕ４の小型軽量化が困難となる。条件式（２ａ）の下限を超えると、第３レンズ群Ｕ３に入射する光束の光束径やレンズ群総厚が増加する。また第３レンズ群Ｕ３のズーミングに際しての移動量が増大し、ズームレンズ全系の小型軽量化が困難になる。
【００５５】
更に好ましくは条件式（２ａ）の数値範囲を次の如く設定するのが良い。
０．０２＜Ｌ２ｗ／Ｌ２Ｆ＜０．９０    ・・・（２ａａ）
条件式（３ａ）は第２レンズ群Ｕ２の焦点距離ｆ２に対する第１レンズ群の焦点距離ｆ１の比を規定している。条件式（３ａ）を満足することで、高ズーム比化を図っている。
【００５６】
条件式（３ａ）の上限を超えると、第２レンズ群Ｕ２の負の焦点距離の絶対値が大きくなり、ズームレンズの高ズーム比化を達成するためには、第２レンズ群Ｕ２のズームストロークを長くしなければならなくなり、全系の小型軽量化が困難になる。条件式（３ａ）の下限を超えると、第２レンズ群Ｕ２の負の焦点距離の絶対値が小さくなり、ズーミングに際して収差変動が大きくなり、全ズーム領域において良好な光学性能を達成することが困難となる。
【００５７】
更に好ましくは条件式（３ａ）の数値範囲を次の如く設定するのが良い。
−１４．５＜ｆ１／ｆ２＜−８．５    ・・・（３ａａ）
次に条件式（１ｂ）乃至（３ｂ）の技術的意味について説明する。
【００５８】
条件式（１ｂ）は、第２レンズ群の横倍率が−１となるズーム位置での第４レンズ群と第５レンズ群の合成横倍率β４５Ｆを規定している。条件式(１ｂ)を満足することで、主に第４レンズ群Ｕ４及び第５レンズ群Ｕ５の小型軽量化を図っている。実施例５は実施例１乃至４に示すような５群ズームレンズの第４レンズ群Ｕ４（コンペンセータ群）を２つのレンズ群に分割した６群ズームレンズの形態に相当し、第４レンズ群Ｕ４と第５レンズ群Ｕ５及びズームレンズ全体の更なる小型軽量化を図っている。
【００５９】
条件式（１ｂ）は条件式（１ａ）に対して上限の数値範囲が広がっている。これはズームレンズのレンズ群数が増加したことにより、第４レンズ群Ｕ４と第５レンズ群Ｕ５の合成焦点距離β４５Ｆの取り得る数値範囲が増大していることによる。条件式（１ｂ）の技術的意味は条件式（１ａ）と同じである。更に好ましくは条件式（１ｂ）の数値範囲を次の如く設定するのが良い。
【００６０】
−０．９５＜β４Ｆ＜−０．５０      ・・・（１ｂｂ）
条件式（２ｂ），（３ｂ）の技術的意味は条件式（２ａ），（３ａ）と同じである。
【００６１】
以上のように実施例１乃至５によれば、全系が小型でありながら高ズーム比で広画角を有し、しかも全ズーム範囲にわたり高い光学性能を有するズームレンズが得られる。実施例１乃至５において更に好ましくは次の条件式のうち１以上を満足するのが良い。広角端における第３レンズ群Ｕ３と第４レンズ群Ｕ４の間隔をＬ３ｗとする。第３レンズ群Ｕ３の焦点距離をｆ３とする。
【００６２】
第３レンズ群Ｕ３は、１以上の正レンズと１以上の負レンズを有する。１以上の正レンズの材料のｄ線における屈折率の平均値をＮｄｐ、１以上の正レンズの材料のアッベ数の平均値をνｄｐとする。１以上の負レンズの材料のｄ線における屈折率の平均値をＮｄｎ、１以上の負レンズの材料のアッベ数の平均値をνｄｎとする。第３レンズ群Ｕ３が１つの正レンズより構成されるとき、正レンズの材料のアッベ数をνｄｐ１とする。
【００６３】
このとき次の条件式のうち１以上を満足するのが良い。
２０．０＜Ｌ３ｗ／Ｌ２ｗ＜３００．０    ・・・（４）
−５０．０＜ｆ３／ｆ２＜−５．０        ・・・（５）
−０．４３＜Ｎｄｐ−Ｎｄｎ＜−０．０１  ・・・（６）
１０．０＜νｄｐ−νｄｎ＜４５．０      ・・・（７）
５５．０＜νｄｐ１＜１００．０          ・・・（８）
次に前述の各条件式の技術的意味について説明する。
【００６４】
条件式（４）は広角端における第２レンズ群Ｕ２と第３レンズ群Ｕ３の間隔Ｌ２ｗに対する広角端における第３レンズ群Ｕ３と第４レンズ群Ｕ４の間隔Ｌ３ｗの比を規定している。条件式（４）を満足することで、第３レンズ群Ｕ３の増倍を効率的に図り、更なる第４群レンズ群Ｕ４の小型軽量化を図っている。
【００６５】
条件式（４）の上限を超えて、広角端における第３レンズ群Ｕ３と第４レンズ群Ｕ４の間隔が広いズーム系になると、ズームレンズ全系の小型軽量化が困難となる。条件式（４）の下限を超えると、ズーミングに際しての第３レンズ群Ｕ３の横倍率の変化が少なくなり、第４レンズ群Ｕ４の小型軽量化が困難となる。
【００６６】
更に好ましくは条件式（４）の数値範囲を次の如く設定するのが良い。
３５．０＜Ｌ３ｗ／Ｌ２ｗ＜２００．０    ・・・（４ｃ）
条件式（５）は第２レンズ群Ｕ２の焦点距離ｆ２に対する第３レンズ群Ｕ３の焦点距離ｆ３の比を規定している。条件式（５）を満足することで、高ズーム比化とレンズ全系の小型化を図っている。
【００６７】
条件式（５）の上限を超えて、第２レンズ群Ｕ２の負の屈折力の絶対値が小さくなると、高ズーム比化を達成するためには、ズーミングに際しての第２レンズ群Ｕ２のズームストロークを長くしなければならなくなり、ズームレンズ全系の小型軽量化が困難となる。条件式（５）の下限を超えて、第３レンズ群Ｕ３の正の屈折力が弱くなると、第３レンズ群Ｕ３の増倍効果を得るためにズーミングに際しての第３レンズ群Ｕ３の移動量を増加させねばならず、ズームレンズ全系の小型軽量化が困難となる。
【００６８】
更に好ましくは条件式（５）の数値範囲を次の如く設定するのが良い。
−４５．０＜ｆ３／ｆ２＜−８．０    ・・・（５ｃ）
条件式（６），（７）は第３レンズ群Ｕ３を構成する正レンズと負レンズの材料の屈折率とアッベ数に関する。
【００６９】
ここで、各実施例で用いている材料のアッベ数は次の通りである。フラウンフォーファ線のＦ線（４８６．１ｎｍ）、ｄ線（５８７．６ｎｍ）、Ｃ線（６５６．３ｎｍ）に対する屈折率をそれぞれＮＦ、Ｎｄ、ＮＣとする。このとき、アッベ数νｄは以下の（Ｃ）式で表わされる。
νｄ＝（Ｎｄ−１）／（ＮＦ−ＮＣ）    ・・・（Ｃ）
屈折力がφ１、φ２、材料のアッベ数がν１、ν２の２枚のレンズＧ１、Ｇ２で構成される薄肉系（合成の屈折力φ）の色収差の補正条件は、以下の（Ｄ）及び（Ｅ）式で表わされる。
【００７０】
φ１／ν１＋φ２／ν２＝０    ・・・（Ｄ）
φ＝φ１＋φ２                ・・・（Ｅ）
（Ｄ）式を満たす場合、図１６に示すようにＣ線とＦ線の光の結像位置が合致し、この時の屈折力φ１、φ２は以下の式で表される。
【００７１】
φ１＝φ・ν１／（ν１−ν２）      ・・・（Ｆ）
φ２＝−φ・ν２／（ν１−ν２）    ・・・（Ｇ）
図１６に示すように、正レンズＧ１としてアッベ数νｄｐの大きな材料、負レンズＧ２としてアッベ数νｄｎの小さな材料を用いることで、正の屈折力を有するユニットＬＰの色収差の補正を良好に達成している。
【００７２】
条件式（６）及び（７）は、第３レンズ群Ｕ３を１以上の正レンズと１以上の負レンズで構成するときの各レンズの材料の条件を規定している。条件式（６）及び（７）を満足することで、特に高ズーム比化に伴って増大する球面収差と軸上色収差のズーム変動を良好に補正している。
【００７３】
条件式（６）の上限及び条件式（７）の下限を超えると、第３レンズ群Ｕ３を構成する正レンズと負レンズの材料のアッベ数νｄが充分に離せない。この結果、色収差の補正を
良好にするためには第３レンズ群Ｕ３の各レンズのレンズ面の曲率がきつくなり、ズーミングに際しての高次の収差や軸上色収差の変動が増大するため好ましくない。条件式（６）の下限及び（７）の上限を超えると、第３レンズ群Ｕ３を構成する各レンズが適切な屈折力を持てなくなり、色収差の補正能力が低下するため好ましくない。
【００７４】
更に好ましくは条件式（６）及び（７）の数値範囲を次の如く設定するのが良い。
−０．３９＜Ｎｄｐ−Ｎｄｎ＜０．０５    ・・・（６ｃ）
１５．０＜νｄｐ−νｄｎ＜３５．０      ・・・（７ｃ）
条件式（８）は、第３レンズ群Ｕ３を１つの正レンズで構成するときの１つの正レンズの材料の条件を規定している。条件式（８）を満足することで、第３レンズ群Ｕ３の小型軽量化を図りつつ、ズーミングに際しての軸上色収差の変動を軽減している。条件式（８）の上限を超えるような光学材料は少なく加工が難しい。条件式（８）の下限を超えると、全ズーム領域において軸上色収差の変動が増大してくる。
【００７５】
更に好ましくは条件式（８）の数値範囲を次の如く設定するのが良い。
６２．０＜νｄｐ１＜９６．０    ・・・（８ｃ）
各実施例において第３レンズ群Ｕ３より物体側に補助絞りを有することが良い。補助絞りを有することで、高ズーム比で広画角であり、しかも全ズーム範囲にわたり高い光学性能を有するズ・BR>[ムレンズを効率的に達成することが容易になる。
【００７６】
Ｆナンバーや周辺光量などの光学仕様を適切に確保する範囲内で余分な軸外光束を遮断すると、軸外の余分なコマ収差やフレア成分などがカットされ、合理的に良好な光学性能を達成することができる。加えて、上述の余分な軸外光束でレンズ径が必要以上に確保されていた場合には、有効径を適切に設定することで全系の小型軽量化が容易になる。
【００７７】
各実施例では、広角端からズーム中間域において補助絞りよりも物体側に配置されたレンズ群への光束の入射高さが最も高い位置を通っているズーム位置がある。この場合、補助絞りによって適切な有効径を設定することで各レンズの小型軽量化を図ることが容易となる。
【００７８】
第３レンズ群Ｕ３は負レンズと正レンズとを接合した接合レンズにより構成されることが収差補正を良好に行うのに好ましい。第２レンズ群Ｕ２は物体側から像側へ順に、２つの負レンズ、正レンズ、負レンズより構成されることがズーミングに際しての収差変動を軽減するのに好ましい。次に各実施例のレンズ構成について説明する。
【００７９】
［実施例１］
実施例１のズームレンズは、物体側から像側へ順に、次の如く構成している。ズーミングに際して不動の正の屈折力の第1レンズ群Ｕ１、ズーミングに際して移動する負の屈折力の第２レンズ群Ｕ２、ズーミングに際して移動する正の屈折力の第３レンズ群Ｕ３、ズーミングに際して移動する正の屈折力の第４レンズ群Ｕ４を有する。
【００８０】
更に、ズーミングに際して不動の正の屈折力の第５レンズ群Ｕ５より構成している。第２レンズ群Ｕ２乃至第４レンズ群Ｕ４でズーム系を構成している。第３レンズ群Ｕ３は１つの正レンズと１つの負レンズを接合した接合レンズで構成している。実施例１に対応する数値実施例１は、ズーム比１２０倍、広角端における撮影画角６２．９°の高ズーム比・広画角で、高い光学性能を有し、特に第４レンズ群Ｕ４の小型軽量化を達成している。
【００８１】
［実施例２］
実施例２のズームレンズのレンズ群の数、各レンズ群の屈折力、ズーミングに際しての移動するレンズ群等のズームタイプは実施例１と同じである。第３レンズ群Ｕ３のレンズ構成も実施例１と同じである。実施例２に対応する数値実施例２はズーム比１００倍、広角端における撮影画角６５．８°の高ズーム比・広画角で、高い光学性能を有し、特に第４レンズ群Ｕ４の小型軽量化を達成している。
【００８２】
［実施例３］
実施例３のズームタイプは実施例１と同じである。第３レンズ群Ｕ３のレンズ構成も実施例１と同じである。実施例３に対応する数値実施例３はズーム比８０倍、広角端における撮影画角６７．７°の高ズーム比・広画角で、高い光学性能を有し、特に第４レンズ群Ｕ４の小型軽量化を達成している。
【００８３】
［実施例４］
実施例４のズームレンズのズームタイプは実施例１と同じである。第３レンズ群Ｕ３は１つの正レンズで構成している。第３レンズ群Ｕ３の物体側には補助絞りＳＳＰを有している。実施例４に対応する数値実施例４はズーム比６０倍、広角端における撮影画角６９．０°の高ズーム比・広画角で、高い光学性能を有し、特に第４レンズ群Ｕ４の小型軽量化を達成している。
【００８４】
［実施例５］
実施例５のズームレンズは、物体側から像側へ順に、次の如く構成している。ズーミングに際して不動の正の屈折力の第1レンズ群Ｕ１、ズーミングに際して移動する負の屈折力の第２レンズ群Ｕ２、ズーミングに際して移動する正の屈折力の第３レンズ群Ｕ３、ズーミングに際して移動する正の屈折力の第４レンズ群Ｕ４を有する。更にズーミングに際して移動する正の屈折力の第５レンズ群Ｕ５、ズーミングに際して不動の正の屈折力の第６レンズ群Ｕ６で構成している。
【００８５】
第２レンズ群Ｕ２乃至第５レンズ群Ｕ５でズーム系を構成している。第３レンズ群Ｕ３は１つの正レンズと１つの負レンズより構成している。実施例５に対応する数値実施例５はズーム比１２０倍、広角端における撮影画角６５．８°の高ズーム比・広画角で、高い光学性能を有し、特に第４レンズ群Ｕ４及び第５レンズ群Ｕ５の小型軽量化を達成している。
【００８６】
実施例５は、実施例１乃至４の第４レンズ群Ｕ４を２つのレンズ群に分割した形態とも考えられる。更に、実施例５では第５レンズ群Ｕ５は正の屈折力を有する形態であるが、第５レンズ群が負の屈折力を有する形態でも構わない。第５レンズ群Ｕ５が正の屈折力を有する場合は、広角端に対する第２レンズ群Ｕ２の横倍率が−１となる全系の焦点距離ｆＦでの第４レンズ群Ｕ４と第５レンズ群Ｕ５の間隔を狭めることで第４レンズ群Ｕ４及び第５レンズ群Ｕ５の有効径を更に小さくしている。
【００８７】
一方で、第５レンズ群Ｕ５が負の屈折力を有する場合は、広角端に対する第２レンズ群Ｕ２の横倍率が−１となる全系の焦点距離ｆＦでの第４レンズ群Ｕ４と第５レンズ群Ｕ５の間隔を広げる。これにより第４レンズ群Ｕ４及び第５レンズ群Ｕ５の有効径を更に小さくしている。これらの構成は本実施例において容易に変更できる。
【００８８】
以上、各実施例によれば高ズーム比化と広画角化、そして全系の小型軽量化を図りつつ、全ズーム範囲にわたり高い光学性能を有するズームレンズが得られる。
【００８９】
更に、本発明のズームレンズを適用した撮像装置の実現形態について以下に説明する。図１５は各実施例のズームレンズを撮影光学系として用いた撮像装置（テレビカメラシステム）の概略図である。図１５において１０１は実施例１乃至５のいずれかのズームレンズである。２０１はカメラである。ズームレンズ１０１はカメラ２０１に対して着脱可能となっている。３０１はカメラ２０１にズームレンズ１０１を装着することで構成される撮像装置である。ズームレンズ１０１はフォーカス部Ｆ、変倍部Ｖ、リレー部ＣＲを有している。フォーカス部Ｆには合焦用のレンズ系が含まれている。
【００９０】
変倍部Ｖは変倍の際に光軸上を移動する複数のレンズ群を有する。レンズ部ＣＲには、変倍に伴う像面変動を補正するために光軸上を移動するレンズ群Ｃや、ズーミングに際して不動の結像用のレンズ群Ｒ等が含まれている。更に、レンズ部ＣＲには、ズームレンズ全系の焦点距離を変位させる、光路中より挿抜可能なレンズユニット（エクステンダー）を含んでいる場合がある。
【００９１】
また、レンズ群ＣＲには像ぶれ補正に際して光軸に対して垂直方向の成分を持つように移動する防振光学系を含んでいる場合がある。ＳＰは開口絞りである。１０２乃至１０４は各々フォーカス部Ｆ、変倍部Ｖ、リレー部ＣＲを構成する各レンズ群を駆動するヘリコイドやカム等の駆動機構である。
【００９２】
ここで、１０５乃至１０８は駆動機構１０２乃至１０４および開口絞りＳＰを電動駆動するモータ（駆動手段）である。１０９乃至１１２は、フォーカス部Ｆや変倍部Ｖ、開口絞りＳＰの絞り径を検出するためのエンコーダやポテンショメータ、あるいはフォトセンサ等の検出器である。カメラ２０１において、２０２は光学フィルタや色分解光学系に相当するガラスブロック、２０３はズームレンズ１０１によって形成された被写体像を受光するＣＣＤセンサやＣＭＯＳセンサ等の固体撮像素子（光電変換素子）である。
【００９３】
また、２０４、１１３はカメラ２０１及びズームレンズ１０１の各種の駆動を制御するＣＰＵである。このように、本発明のズームレンズをテレビカメラに適用することにより、高い光学性能を有する撮像装置を実現している。ただし、本発明に関するズームレンズおよびカメラの構成は図１５の形態に限定されず、その要旨の範囲内で種々の変形及び変更が可能である。この他、本発明のズームレンズはデジタルカメラやビデオカメラ等にも適用することができる。
【００９４】
以下に本発明の数値実施例を示す。各数値実施例においていずれも、ｉは物体側からの面の順序を示す。ｒｉは物体側より第ｉ番目の面の曲率半径、ｄｉは物体側より第ｉ番目と第ｉ＋１番目の間隔、ｎｄｉ、νｄｉは第ｉ番目の光学部材のｄ線の屈折率とアッベ数である。ＢＦは空気換算のバックフォーカスであり、最終レンズ面から像面までの距離として示している。レンズ全長は第１レンズ面から最終レンズ面までの距離にバックフォーカスを加えた値である。
【００９５】
非球面形状は光軸方向にＸ軸、光軸と垂直方向にＨ軸、光の進行方向を正とする。Ｒを近軸曲率半径、ｋを円錐常数、Ａ４、Ａ６、Ａ８、Ａ１０、Ａ１２、をそれぞれ非球面係数としたとき、次式で表している。また、「ｅ−Ｚ」は「×１０−Ｚ」を意味する。また、本実施例について各条件式との対応値を表１に示す。
【００９６】
【数１】
2019008313.tif 000003
【００９７】
＜数値実施例１＞
単位 mm
面データ
面番号       r        d      nd         νd       有効径
1        993.040    6.00   1.83400    37.2      200.00
2        307.076    2.74                        198.39
3        317.806   24.69   1.43387    95.1      199.38
4       -932.162   31.76                        199.65
5        354.759   20.91   1.43387    95.1      200.82
6      -2095.069    0.25                        200.17
7        235.592   22.54   1.43387    95.1      193.69
8       2059.353    1.20                        191.88
9        210.375   10.66   1.43875    94.9      179.83
10        321.812  (可変)                        177.68
11*       375.017    2.20   2.00330    28.3       42.21
12         36.067   11.11                         36.46
13        -42.041    1.70   1.75500    52.3       34.98
14         62.517    5.34   1.95906    17.5       35.59
15       -126.582    1.93                         35.59
16        -97.808    1.70   1.83481    42.7       35.36
17*      1076.960  (可変)                         36.64
18       1080.620    6.26   1.59522    67.7       48.20
19        -88.921    2.00   1.65412    39.7       49.28
20       -230.810  (可変)                         51.07
21        144.168   10.92   1.60311    60.6       81.61
22*      -318.667    0.30                         81.90
23         93.343   14.22   1.59201    67.0       82.55
24       -404.472    0.30                         81.72
25        194.158    2.00   1.85478    24.8       77.46
26         62.869   12.82   1.43875    94.9       72.23
27        532.014    1.00                         71.38
28*       100.478    7.30   1.60311    60.6       69.29
29       1259.517  (可変)                         68.17
30(絞り)    ∞       3.81                         38.24
31       -101.628    1.70   1.88300    40.8       36.71
32         48.334    7.05   1.80809    22.8       35.54
33       -104.625    2.00                         35.21
34        -55.064    1.80   1.88300    40.8       34.82
35         51.360    4.93   1.80809    22.8       35.05
36        901.568    6.50                         35.17
37       -108.923    2.00   1.72047    34.7       35.85
38         38.240   12.28   1.51633    64.1       37.72
39        -40.338    0.20                         38.73
40        335.293   14.35   1.62041    60.3       39.36
41        -94.404    5.00                         39.62
42        149.154   10.02   1.53172    48.8       37.67
43        -48.305    1.00                         36.39
44       -320.640    2.00   1.88300    40.8       32.34
45         25.674    9.80   1.51633    64.1       29.37
46       -614.257    1.00                         28.34
47         51.223    6.39   1.48749    70.2       27.31
48        315.897   10.00                         25.35
49          ∞      33.00   1.60859    46.4       60.00
50          ∞      13.20   1.51633    64.2       60.00
51          ∞                                     60.00
像面        ∞   
非球面データ
第11面
K =-3.43248e-004  A 4= 1.79792e-007  A 6= 5.82459e-010  
A 8= 1.14131e-012  A10= 2.09320e-015  A12=-8.01495e-018  
第17面
K = 3.02192e-005  A 4=-1.46596e-007  A 6= 2.81458e-010  
A 8= 8.16811e-013  A10= 3.12241e-015  A12=-8.24994e-018  
第22面
K =-1.28238e-002  A 4= 1.44337e-008  A 6= 1.57605e-011  
A 8= 3.48399e-015  A10= 9.80431e-020  A12= 6.38981e-023  
第28面
K =-1.68628e+000  A 4=-2.88307e-007  A 6=-1.01944e-010  
A 8= 4.21396e-015  A10= 1.14258e-017  A12=-4.94385e-021  
各種データ
ズーム比    120.00 
焦点距離       9.00   297.50   1080.01  
Fナンバー      1.80     1.80     5.40  
半画角（度）  31.43     1.06     0.29  
像高           5.50     5.50     5.50  
レンズ全長   628.55    628.55   628.55  
BF            44.75    44.75    44.75  
d10            1.47   187.64   199.77  
d17            7.33    15.26     1.92  
d20          278.83    44.78     1.92  
d29            2.46    42.43    86.48  
入射瞳位置   134.83   2842.53   12185.38  
射出瞳位置  -244.36  -244.36  -244.36  
前側主点位置 143.50   2785.84   8597.51  
後側主点位置  -3.47  -291.98  -1074.48  
ズームレンズ群データ
群  始面    焦点距離  レンズ構成長  前側主点位置  後側主点位置
1    1     264.64       120.76        67.03        -25.76
2   11     -21.34        23.97         5.53        -11.70
3   18     368.09         8.26         4.40         -0.74
4   21      66.19        48.87        10.70        -22.98
5   30     105.46       148.04        76.15         29.66
単レンズデータ
レンズ  始面  焦点距離
1       1   -531.77
2       3    548.17
3       5    699.31
4       7    609.33
5       9    1341.99
6      11    -39.57
7      13    -32.91
8      14     43.67
9      16   -106.74
10      18    137.82
11      19   -221.05
12      21    165.41
13      23    128.62
14      25   -108.51
15      26    160.74
16      28    179.91
17      31    -36.69
18      32     41.35
19      34    -29.68
20      35     66.54
21      37    -38.80
22      38     40.01
23      40    119.80
24      42     69.52
25      44    -26.69
26      45     47.80
27      47    124.00
28      49      0.00
29      50      0.00
＜数値実施例２＞
単位 mm
面データ
面番号       r        d      nd        νd       有効径
1       4283.126    6.00   1.83400    37.2      199.73
2        346.917    2.06                        199.31
3        348.537   25.50   1.43387    95.1      200.38
4       -656.391   25.85                        200.82
5        370.131   18.04   1.43387    95.1      204.26
6      -7675.198    0.25                        203.89
7        274.031   19.99   1.43387    95.1      200.13
8       2596.738    1.20                        199.04
9        190.533   17.11   1.49700    81.5      187.21
10        423.752  (可変)                        185.28
11*       807.252    2.20   2.00330    28.3       44.14
12         34.278    8.55                         37.76
13        -76.008    1.60   1.80400    46.6       37.53
14         45.407    6.92   1.95906    17.5       37.55
15       -143.547    1.73                         37.98
16        -73.676    2.00   1.83400    37.2       38.12
17*       470.393  (可変)                         40.02
18        310.016    6.05   1.59522    67.7       56.18
19       -125.626    1.50   1.65412    39.7       56.79
20       -313.377  (可変)                         58.16
21        198.345   12.08   1.60311    60.6       75.88
22*      -123.577    0.50                         76.42
23        102.603   16.20   1.59201    67.0       76.30
24       -127.869   0.42                         75.35
25       -172.667    2.50   1.85478    24.8       74.13
26        225.338   10.66   1.43875    94.9       71.72
27       -161.071    0.20                         70.81
28        706.914    5.19   1.60311    60.6       67.98
29*      -735.945  (可変)                         66.44
30(絞り)    ∞       3.00                         37.57
31       -177.264    1.40   1.88300    40.8       36.25
32         64.038    1.15                         35.19
33         35.469    6.34   1.80809    22.8       35.48
34        113.380   12.39                         34.16
35       -243.541    1.40   1.81600    46.6       27.92
36        145.282    5.00                         27.30
37        -27.707    2.00   1.78590    44.2       27.03
38        112.787    9.35   1.53172    48.8       29.09
39        -26.296    6.77                         30.57
40       -136.286    4.56   1.54814    45.8       29.64
41        -43.922    5.15                         29.71
42        -97.678    1.50   1.88300    40.8       27.13
43         33.124   10.89   1.51823    58.9       26.79
44        -52.994    0.20                         27.65
45        746.626    7.68   1.43875    94.9       27.49
46        -38.228    1.50   1.83400    37.2       27.18
47        -61.369    0.20                         27.47
48         31.678    5.55   1.51633    64.1       26.66
49        227.747   10.00                         25.41
50          ∞      33.00   1.60859    46.4       60.00
51          ∞      13.20   1.51633    64.2       60.00
52          ∞                                    60.00
像面        ∞   
非球面データ
第11面
K = 1.17747e+002  A 4= 1.75825e-007  A 6= 1.52250e-010  
A 8= 9.83098e-013  A10=-2.81028e-015  A12= 9.45015e-019  
第17面
K =-7.77418e+001  A 4=-4.94599e-007  A 6= 9.14954e-011  
A 8=-2.18176e-013  A10= 4.05694e-015  A12=-9.61207e-018  
第22面
K =-1.83271e+000  A 4= 1.59856e-007  A 6=-1.57077e-012  
A 8= 2.76813e-014  A10=-4.93690e-018  A12=-1.55287e-022  
第29面
K =-1.09583e+002  A 4= 2.57948e-007  A 6= 5.12479e-011  
A 8=-3.80273e-014  A10=-2.69162e-017  A12= 3.23204e-020  
各種データ
ズーム比    100.22 
焦点距離       8.70   348.79   872.39  
Fナンバー      1.77     1.77     4.37  
半画角（度）  32.91     0.90     0.36  
像高           5.50     5.50     5.50  
レンズ全長    603.37    603.37   603.37  
BF            42.60     42.60    42.60  
d10            1.74   188.45   197.04  
d17            2.37    18.78     4.63 
d20          274.18    27.63     2.51 
d29            2.00    45.56    76.24  
入射瞳位置   125.05   3139.17   9119.92  
射出瞳位置   284.77   284.77   284.77  
前側主点位置 134.08   4020.30   13134.95
後側主点位置  33.89  -306.19  -829.79  
ズームレンズ群データ
群  始面    焦点距離  レンズ構成長  前側主点位置  後側主点位置
1    1     256.47       116.00        65.44        -20.23
2   11     -21.50        23.00         4.69        -10.76
3   18     283.39         7.55         2.28         -2.44
4   21      67.35        47.75        10.59        -21.85
5   30      51.58       86.05        65.99         48.62
単レンズデータ
レンズ  始面  焦点距離
1       1   -450.07
2       3    527.45
3       5    812.36
4       7    702.51
5       9    677.99
6      11    -35.44
7      13    -34.97
8      14     36.15
9      16    -75.77
10      18    150.45
11      19   -319.67
12      21    127.55
13      23     98.39
14      25   -112.96
15      26    215.36
16      28    596.31
17      31    -52.82
18      33     60.99
19      35   -110.77
20      37    -27.98
21      38     40.87
22      40    115.59
23      42    -27.70
24      43     40.95
25      45     82.93
26      46   -124.47
27      48     70.32
28      50      0.00
29      51      0.00
＜数値実施例３＞
単位 mm
面データ
面番号       r        d      nd         νd       有効径
1       2670.838    6.00   1.83400    37.2      224.00
2        353.902    2.84                        218.69
3        347.052   32.14   1.43387    95.1      218.93
4       -545.506   23.77                        218.43
5        336.604   21.15   1.43387    95.1      204.55
6      -2338.137    0.25                        203.11
7        202.648   18.33   1.43387    95.1      184.59
8        629.753    1.20                        182.33
9        202.224   10.33   1.43875    94.9      172.04
10        317.461  (可変)                        170.15
11*      1334.159    2.20   2.00330    28.3       45.09
12         31.483    9.74                         38.14
13        -66.290    1.60   1.81600    46.6       38.06
14         59.501    7.44   1.95906    17.5       39.51
15       -132.162    0.94                         39.81
16       -186.375    2.00   1.83400    37.2       39.72
17*      1975.708  (可変)                         39.89
18        926.320    3.52   1.59522    67.7       58.76
19       -285.405    1.50   1.72047    34.7       59.27
20      -1000.935  (可変)                         60.12
21      -1128.680    5.35   1.60311    60.6       62.41
22*      -130.823    0.50                         63.44
23        257.435   11.55   1.59201    67.0       65.89
24       -109.507    5.15                         66.64
25        -95.241    2.50   1.85478    24.8       66.23
26       -509.520   14.27   1.43875    94.9       68.34
27        -57.257    0.20                         69.56
28        175.259    8.67   1.60311    60.6       66.93
29*      -279.691  (可変)                         66.08
30(絞り)    ∞       4.84                         37.83
31      -1262.663    1.60   1.88300    40.8       34.93
32        196.970    0.50                         34.18
33         63.169    2.66   1.80809    22.8       33.35
34         75.438    3.93                         32.32
35       -525.746    1.60   1.81600    46.6       31.33
36        356.824    9.28                         30.81
37        -45.447    1.80   1.72916    54.7       28.30
38         36.810    5.12   1.80518    25.4       28.79
39        340.634    4.99                         28.86
40        -72.510    3.64   1.78590    44.2       29.25
41        -31.746    1.80   1.53172    48.8       29.62
42        -41.633   15.00                         29.94
43       -366.256    4.49   1.54814    45.8       25.86
44        -69.275    5.00                         25.43
45        -57.162    1.80   1.88300    40.8       23.38
46         26.896    7.46   1.51823    58.9       23.30
47        -66.766    2.00                         24.13
48       -178.297    5.85   1.43875    94.9       24.54
49        -18.392    1.80   1.83400    37.2       24.75
50        -30.625    0.20                         26.46
51         68.280    6.42   1.51633    64.1       26.90
52        -35.986   10.00                         26.71
53          ∞      33.00   1.60859    46.4       60.00
54          ∞      13.20   1.51633    64.2       60.00
55          ∞                                    60.00
像面        ∞   
非球面データ
第11面
K = 2.64173e-006  A 4=-1.89808e-006  A 6=-5.90604e-010  
A 8= 9.87332e-012  A10=-1.72970e-014  A12= 8.44993e-018  
第17面
K = 2.56545e-005  A 4=-2.58516e-006  A 6=-7.93861e-010  
A 8=-1.64279e-013  A10= 8.86618e-015  A12=-1.74186e-017  
第22面
K =-2.39283e+000  A 4= 7.29980e-007  A 6= 1.62601e-010  
A 8= 3.89178e-014  A10= 3.69007e-017  A12=-4.21946e-021  
第29面
K =-3.40479e+000  A 4=-1.21873e-007  A 6= 4.57169e-011  
A 8=-5.88843e-014  A10=-1.77714e-017  A12= 1.19423e-020  
各種データ
ズーム比     80.00 
焦点距離       8.20   286.67   656.00  
Fナンバー      1.80     1.80     3.50  
半画角（度）  33.85     1.10     0.48  
像高           5.50     5.50     5.50  
レンズ全長   600.95    600.95   600.95  
BF            44.22    44.22    44.22  
d10            2.29   189.00   197.59  
d17            1.50    34.71     1.50  
d20          266.03     4.29     2.00  
d29            2.00    43.82    70.73  
入射瞳位置   126.55   2702.65   6121.99  
射出瞳位置   115.78   115.78   115.78  
前側主点位置 135.35   3731.13   10662.57  
後側主点位置  -3.20  -281.67  -651.00  
ズームレンズ群データ
群  始面    焦点距離  レンズ構成長  前側主点位置  後側主点位置
1    1     261.79       116.00        63.83        -22.27
2   11     -24.66        23.91         2.65        -14.46
3   18     1086.61         5.02         1.35         -1.73
4   21      65.28        48.19        21.53        -14.93
5   30      41.18       147.99        66.44          7.49
単レンズデータ
レンズ  始面  焦点距離
1       1   -486.63
2       3    493.03
3       5    678.11
4       7    678.14
5       9    1232.81
6      11    -31.90
7      13    -38.01
8      14     43.04
9      16   -202.83
10      18    365.67
11      19   -550.88
12      21    243.90
13      23    130.85
14      25   -136.13
15      26    145.25
16      28    179.24
17      31   -191.75
18      33    433.44
19      35   -258.96
20      37    -27.52
21      38     50.40
22      40     68.76
23      41   -267.12
24      43    154.23
25      45    -20.39
26      46     37.88
27      48     46.11
28      49    -58.80
29      51     46.45
30      53      0.00
31      54      0.00
＜数値実施例４＞
単位 mm
面データ
面番号       r        d      nd         νd       有効径
1       3992.026    6.00   1.83400    37.2      213.62
2        348.617    2.59                        202.07
3        351.466   25.32   1.43387    95.1      200.75
4       -679.139   25.71                        198.78
5        361.570   16.27   1.43387    95.1      187.21
6      -4806.814    0.25                        186.16
7        299.561   15.75   1.43387    95.1      178.47
8       4100.886    1.20                        176.76
9        190.041   13.62   1.49700    81.5      161.37
10        436.321  (可変)                        158.89
11*       588.556    2.20   2.00330    28.3       56.34
12         41.395   11.50                         48.01
13        -88.137    1.60   1.80400    46.6       47.79
14         67.777    9.06   1.95906    17.5       48.05
15       -109.975    0.96                         47.98
16        -94.123    2.00   1.83400    37.2       47.69
17*       175.789  (可変)                         47.47
18          ∞       0.50                         50.67
19        274.026    4.52   1.49700    81.5       51.65
20       -269.182  (可変)                         52.27
21       1649.385    6.06   1.59240    68.3       58.25
22       -132.669    0.30                         58.78
23        244.784    7.24   1.48749    70.2       59.13
24       -149.672    2.00                         59.04
25       -103.272    2.00   1.72047    34.7       58.87
26       -132.821    0.30                         59.18
27        119.697    2.00   1.84666    23.9       58.09
28         62.616    0.12                         56.49
29         61.638    9.72   1.49700    81.5       56.57
30      -1144.112    0.30                         56.17
31        124.186    5.18   1.48749    70.2       55.18
32        911.918  (可変)                         54.37
33(絞り)    ∞       3.24                         36.51
34        -96.590    1.40   1.88300    40.8       35.79
35        132.905    0.50                         35.55
36         34.541    5.36   1.80809    22.8       36.14
37         94.833   11.54                         35.27
38       -103.802    1.50   1.72916    54.7       30.65
39         64.256   16.53                         29.93
40        -78.195    1.50   1.88300    40.8       30.79
41         73.036    8.93   1.51823    58.9       31.85
42        -28.795    0.30                         32.68
43         75.866    8.28   1.43875    94.9       32.04
44        -30.339    1.50   1.83400    37.2       31.63
45        -57.488    0.30                         32.06
46         32.996    4.91   1.51633    64.1       30.31
47        149.499    5.00                         29.29
48          ∞      33.00   1.60859    46.4       60.00
49          ∞      13.20   1.51633    64.2       60.00
50          ∞                                     60.00
像面        ∞   
非球面データ
第11面
K = 2.13492e-003  A 4=-3.87508e-007  A 6= 1.65348e-010
A 8= 1.13651e-012  A10=-2.27277e-015  A12= 1.10893e-018  
第17面
K =-1.28819e+000  A 4=-1.06113e-006  A 6=-3.74716e-010  
A 8= 3.16933e-012  A10=-6.28547e-015  A12= 3.69639e-018  
各種データ
ズーム比     60.00 
焦点距離       8.00   226.24   480.00  
Fナンバー      1.50     1.50     3.00  
半画角（度）  34.51     1.39     0.66  
像高           5.50     5.50     5.50  
レンズ全長   547.01   547.01   547.01  
BF            43.21    43.21    43.21  
d10            2.70   184.34   192.70  
d17            3
.43    25.18     3.39  
d20          255.65    15.15     2.00  
d32            2.00    39.11    65.68  
入射瞳位置   125.86   2424.61   5212.58  
射出瞳位置   404.52   404.52   404.52  
前側主点位置 134.03   2780.25   6275.09  
後側主点位置   0.99  -217.25  -471.01  
ズームレンズ群データ
群  始面    焦点距離  レンズ構成長  前側主点位置  後側主点位置
1    1     255.00       106.70        64.86        -14.62
2   11     -26.00        27.31         5.77        -12.58
3   18     273.18         5.02         2.03         -1.50
4   21      74.93        35.22         9.93        -14.63
5   33      50.43       116.98        57.47         -6.96
単レンズデータ
レンズ  始面  焦点距離
1       1   -455.44
2       3    536.47
3       5    773.86
4       7    742.05
5       9    663.26
6      11    -44.10
7      13    -47.20
8      14     44.26
9      16    -72.79
10      19    273.18
11      21    206.82
12      23    191.03
13      25   -658.70
14      27   -156.09
15      29    117.65
16      31    293.27
17      34    -62.80
18      36     63.99
19      38    -53.99
20      40    -42.32
21      41     40.92
22      43     50.47
23      44    -78.52
24      46     80.54
25      48      0.00
26      49      0.00
＜数値実施例５＞ 
単位 mm
面データ
面番号       r        d      nd         νd       有効径
1      25621.896    6.00   1.83400    37.2      223.67
2        361.925    1.28                        216.07
3        363.707   30.16   1.43387    95.1      215.97
4       -546.966   28.62                        215.21
5        333.604   20.53   1.43387    95.1      205.31
6     -15289.828    0.25                        204.72
7        249.777   22.33   1.43387    95.1      200.01
8       1921.272    1.20                        198.37
9        202.838   13.66   1.49700    81.5      186.58
10        337.798  (可変)                        183.97
11*     13898.092    2.20   2.00330    28.3       51.67
12         66.034    8.11                         45.96
13        -86.322    1.40   1.88300    40.8       44.51
14         44.301   10.71   1.95906    17.5       41.61
15        -87.360    3.47                         40.56
16        -49.347    1.60   1.88300    40.8       37.26
17         68.732  (可変)                         35.98
18        108.142    6.43   1.48749    70.2       36.50
19        -50.958    0.13                         36.50
20        -57.206    1.60   1.81600    46.6       36.27
21       -153.026  (可変)                         36.58
22        413.102    5.98   1.59522    67.7       59.83
23*      -152.232    0.50                         60.42
24         88.526   11.06   1.59522    67.7       62.45
25       -263.906    0.20                         61.97
26        238.323    2.50   1.84666    23.8       60.51
27         99.164    7.43   1.43875    94.9       58.91
28       8187.330  (可変)                         58.22
29         94.972    2.50   1.84666    23.8       56.40
30         61.636   11.03   1.59522    67.7       54.30
31*      -151.087  (可変)                         53.33
32(絞り)    ∞       1.13                         30.40
33      -1163.307    2.00   1.81600    46.6       29.49
34         16.841    5.74   1.84666    23.8       25.91
35         42.734    5.21                         25.18
36        -59.403    2.00   1.88300    40.8       24.48
37         34.115    3.70   1.62041    60.3       24.60
38         73.675    6.15                         24.98
39        -39.190    3.73   1.58913    61.1       26.34
40        -24.348   10.02                         27.37
41         83.156    2.00   1.88300    40.8       29.65
42         24.966    9.82   1.51823    58.9       29.14
43        -48.020    2.93                         29.81
44         59.361    7.50   1.48749    70.2       30.05
45        -33.391    2.00   1.88300    40.8       29.74
46       1689.507    1.65                         30.27
47        610.971    6.54   1.54814    45.8       30.61
48        -29.420   10.00                         30.83
49          ∞      33.00   1.60859    46.4       60.00
50          ∞      13.20   1.51633    64.2       60.00
51          ∞      10.00                         60.00
像面        ∞   
非球面データ
第11面
K = 2.71160e+005  A 4= 1.51420e-006  A 6= 9.66843e-011
A 8=-9.66544e-013  A10= 2.71484e-015  A12=-1.66978e-018  
第23面
K =-8.85149e+000  A 4= 4.85002e-007  A 6=-1.13912e-011  
A 8= 7.89218e-014  A10=-5.65528e-017  A12= 1.90841e-020  
第31面
K = 8.13343e+000  A 4= 4.90547e-007  A 6= 3.89137e-010  
A 8=-1.81549e-013  A10=-3.37003e-017  A12= 8.46806e-020  
各種データ
ズーム比    120.00 
焦点距離       8.50   280.51   1020.00  
Fナンバー      1.79     1.80     5.10  
半画角（度）  32.91     1.12     0.31  
像高           5.50     5.50     5.50  
レンズ全長   605.64   605.64   605.64  
BF            49.22    49.22    49.22  
d10            3.74   199.95   212.48  
d17            4.04     7.12     2.44  
d21          262.64    50.78     1.50  
d28           11.48     1.30    50.03  
d31            1.50    24.25    16.96  
入射瞳位置   139.49   3360.60  14697.73  
射出瞳位置   347.60    347.60    347.60  
前側主点位置 148.20   3874.19  18799.45  
後側主点位置   1.50   -270.51  -1010.00  
ズームレンズ群データ
群  始面    焦点距離  レンズ構成長  前側主点位置  後側主点位置
1    1     271.95       124.03        70.55        -20.72
2   11     -19.45        27.50        10.20         -6.66
3   18     194.18         8.17         1.23         -4.14
4   22      73.48        27.67         4.06        -13.82
5   29     115.68        13.53         3.14         -5.30
6   32      43.28       128.32        50.13         31.10
単レンズデータ
レンズ  始面  焦点距離
1       1   -437.44
2       3    507.32
3       5    750.90
4       7    657.40
5       9    985.36
6      11    -65.59
7      13    -32.80
8      14     31.51
9      16    -32.14
10      18     71.76
11      20   -112.24
12      22    186.97
13      24    112.30
14      26   -200.28
15      27    228.15
16      29   -212.72
17      30     74.74
18      33    -20.23
19      34     29.50
20      36    -24.16
21      37     98.47
22      39     99.42
23      41    -40.83
24      42     33.09
25      44     44.88
26      45    -36.85
27      47     51.13
28      49      0.00
29      50      0.00
【００９８】
【表１】
2019008313.tif 000004
【符号の説明】
【００９９】
Ｕ１：第１レンズ群    Ｕ２：第２レンズ群    Ｕ３：第３レンズ群
Ｕ４：第４レンズ群    Ｕ５：第５レンズ群    ＳＰ：絞り
ＤＰ：色分解光学系や光学フィルタを示すガラスブロック    ＩＰ：撮像面
【図１】
2019008313.tif 000005
【図２】
2019008313.tif 000006
【図３】
2019008313.tif 000007
【図４】
2019008313.tif 000008
【図５】
2019008313.tif 000009
【図６】
2019008313.tif 000010
【図７】
2019008313.tif 000011
【図８】
2019008313.tif 000012
【図９】
2019008313.tif 000013
【図１０】
2019008313.tif 000014
【図１１】
2019008313.tif 000015
【図１２】
2019008313.tif 000016
【図１３】
2019008313.tif 000017
【図１４】
2019008313.tif 000018
【図１５】
2019008313.tif 000019
【図１６】
2019008313.tif 000020